(57)【要約】【課題】測量作業の効率化を図る。【解決手段】本発明の測量用ポール１は、円柱状のポール本体２と、ポール本体２に固定され、気泡７を含む液体６が封入された水準器３とを備える。ポール本体２の側面側に、円形状かつ透明であるとともに、ポール本体２の中心軸と平行である水準器３の表面５を露出する。水準器３における表面５の円周の内側および表面５の円周の外側のうち少なくともいずれか一方に、ポール本体２の軸方向および軸方向に対して垂直な方向に表面５の円の円周を４分割する目盛１０，１１を標す。水準器３の表面５を鉛直に配置することにより、目盛１０，１１に対する表面５の円の周方向における気泡の位置に基づいて、ポール本体２の鉛直度および水平度を目測する。【選択図】図１
2008020367.tif 000002
【特許請求の範囲】
【請求項１】
円柱状のポール本体と、
上記ポール本体に固定され、気泡を含む液体が封入された水準器と、
を備え、
上記ポール本体の側面側には、円形状かつ透明であるとともに該ポール本体の中心軸と平行である上記水準器の表面が露出されており、
上記水準器における表面の円周の内側および該表面の円周の外側のうち少なくともいずれか一方には、上記表面の円の中心を通り上記ポール本体の軸方向に延びる第１直線上、および上記表面の円の中心を通り上記第１直線に対して垂直な方向に延びる第２直線上に、上記表面の円の円周を４つに等分割する目盛が標されており、
上記水準器の表面が鉛直に配置されることにより、上記目盛に対する上記表面の円の周方向における上記気泡の位置に基づいて、上記ポール本体の鉛直度および水平度が目測される、測量用ポール。
【請求項２】
請求項１の測量用ポールにおいて、
上記水準器における表面の円周の内側および該表面の円周の外側のうち少なくともいずれか一方には、上記表面における円の円周の上記目盛間をさらに６分割する勾配用目盛が標されており、
上記水準器の表面が鉛直に配置されることにより、上記勾配用目盛および上記目盛に対する上記表面の円の周方向における上記気泡の位置に基づいて、上記ポール本体の傾きが測定される、測量用ポール。
【請求項３】
請求項１または２の測量用ポールにおいて、
上記水準器の少なくとも一部が上記ポール本体に嵌め込まれている、測量用ポール。
【請求項４】
斜面における第１測点と該第１測点よりも上方にある第２測点との水平距離および高低差を測定する測量方法であって、
請求項１または２の測量用ポールを２本用意する工程と、
上記２本の測量用ポールのうち一の測量用ポールを上記第１測点に立て、上記第１直線上に標された上記目盛の位置を上記水準器における表面の円の周方向における上記気泡の位置とすることで、上記一の測量用ポールを鉛直に保持する工程と、
上記２本の測量用ポールのうち他の測量用ポールの端を上記第２測点に当接させる工程と、
上記他の測量用ポールを上記一の測量用ポールと交差させる工程と、
上記他の測量用ポールの上記水準器の表面を鉛直に配置する工程と、  
上記他の測量用ポールの上記第２直線上に標された目盛の位置を上記水準器の表面の円の周方向における上記気泡の位置とすることで、上記他の測量用ポールを水平に保持する工程と、  
上記第１測点側の端から、上記一の測量用ポールと上記他の測量用ポールとの交差点までの上記一の測量用ポールの長さを計測する工程と、
上記第２測点側の端から、上記交差点までの上記他の測量用ポールの長さを計測する工程と、
を含む、測量方法。
【請求項５】
斜面における第１測点と該第１測点よりも上方にある第２測点とをつなぐ直線の勾配を測定する測量方法であって、
請求項２の測量用ポールを用意する工程と、
上記第１測点と上記第２測点とをつなぐ直線上に上記測量用ポールを配置する工程と、
上記水準器の表面を鉛直に配置する工程と、
上記勾配用目盛および上記目盛に対する上記水準器の表面の円の周方向における上記気泡の位置により、上記第１測点と上記第２測点とをつなぐ直線の勾配を測定する工程と、
を含む、測量方法。
【発明の詳細な説明】
【技術分野】
【０００１】
本発明は、斜面における第１測点と該第１測点よりも上方にある第２測点との水平距離、高低差および斜面の勾配を測定するために用いる測量用ポールおよびこれを用いた測量方法に関するものである。
【背景技術】
【０００２】
従来より、河川堤防、盛土、切土断面、ダム湖岸等の斜面を測量して図面を作成するための測量方法として、例えば、特許文献１に示すような測量機器を用いたものが知られている。この測量機器は、任意の測量点に設置されるターゲットを自動視準して、ターゲットまでの距離と角度とを測定するものである。測量機器は三脚上に固定設置される。    
【特許文献１】特開２００２−３４０５５５号公報
【発明の開示】
【発明が解決しようとする課題】
【０００３】
しかしながら、上記の測量方法では、急な傾斜地や柔らかい地面に測量機器を固定した三脚を設置する場合、その設置が困難であるとともに、このような測量地における測量機器の運搬は危険である。さらに、測量機器は精密機器であるため、その取り扱いを慎重に行わねばならず、手間がかかってしまうという問題がある。
【０００４】
本発明は、かかる点に鑑みてなされたものであり、その目的とするところは、測量作業の効率をよくすることにある。
【課題を解決するための手段】
【０００５】
本発明に係る第１の測量用ポールは、円柱状のポール本体と、上記ポール本体に固定され、気泡を含む液体が封入された水準器と、を備え、上記ポール本体の側面側には、円形状かつ透明であるとともに該ポール本体の中心軸と平行である上記水準器の表面が露出されており、上記水準器における表面の円周の内側および該表面の円周の外側のうち少なくともいずれか一方には、上記表面の円の中心を通り上記ポール本体の軸方向に延びる第１直線上、および上記表面の円の中心を通り上記第１直線に対して垂直な方向に延びる第２直線上に、上記表面の円の円周を４つに等分割する目盛が標されており、上記水準器の表面が鉛直に配置されることにより、上記目盛に対する上記表面の円の周方向における上記気泡の位置に基づいて、上記ポール本体の鉛直度および水平度が目測される。
【０００６】
上記の構成によると、水準器の表面は、ポール本体の中心軸と平行であるので、ポール本体を立てると、表面がほぼ鉛直に配置される。水準器において、気泡は、常に水準器内の上端に位置する。したがって、鉛直に配置された表面において、気泡は、表面の円の上端に浮上する。第１直線上に標された目盛が、気泡の中心に近いほど、ポール本体の鉛直度が高くなる。すなわち、円の上端にある気泡の中心に、第１直線上に標された目盛を表面の円の周方向において近づけることで、ポール本体の軸方向が鉛直に近くなる。水準器の表面は透明であるので、気泡の位置を目視により判断することができる。したがって、ポール本体の傾きを調整して、第１直線上に標された目盛の位置に対する気泡の中心位置に基づいて、ポール本体の鉛直度を目測し、ポール本体がほぼ鉛直に配置される。
【０００７】
一方、ポール本体の水平度は、第２直線上に標された目盛に対する気泡の位置に基づいて目測される。すなわち、ポール本体を横に向け、水準器の表面を鉛直に配置することで、気泡が表面の円の上端に浮上する。そして、ポール本体の傾きを調整して、第２直線上に標された目盛が、表面の円の周方向において気泡の中心に近づくほど、ポール本体の軸方向が水平に近くなる。したがって、第２直線上に標された目盛の位置に対する気泡の中心位置に基づいて、ポール本体の水平度を目測し、ポール本体がほぼ水平に配置される。
【０００８】
本発明に係る第２の測量用ポールは、上記水準器における表面の円周の内側および該表面の円周の外側のうち少なくともいずれか一方には、上記表面における円の円周の上記目盛間をさらに６分割する勾配用目盛が標され、上記水準器の表面が鉛直に配置されることにより、上記勾配用目盛および上記目盛に対する上記表面の円の周方向における上記気泡の位置に基づいて、上記ポール本体の傾きが測定される。
【０００９】
上記の構成によると、ポール本体を傾けたとき、ポール本体の中心軸と水平線とのなす角がポール本体の傾きとなる。そして、鉛直に配置した水準器の表面における円の上端に浮上した気泡の中心を通る鉛直線と、ポール本体の中心軸に対して垂直な直線とのなす角がポール本体の傾きと等しい角度となる。そこで、気泡の中心に最も近い勾配用目盛に基づいて、ポール本体のおおよその勾配を測定する。勾配用目盛は、水準器の表面の円の円周を４分割する目盛間をさらに６分割することから、円周を２４分割するものである。このため、勾配用目盛は、表面の円周に１５度ごとに標されている。この勾配用目盛を基準として、気泡の中心が勾配用目盛に対してどの位置にあるかにより、傾きが測定される。
【００１０】
本発明に係る第１の測量方法は、斜面における第１測点と該第１測点よりも上方にある第２測点との水平距離および高低差を測定する測量方法であって、上記第１又は第２の測量用ポールを２本用意する工程と、上記２本の測量用ポールのうち一の測量用ポールを上記第１測点に立て、上記第１直線上に標された上記目盛の位置を上記水準器における表面の円の周方向における上記気泡の位置とすることで、上記一の測量用ポールを鉛直に保持する工程と、上記２本の測量用ポールのうち他の測量用ポールの端を上記第２測点に当接させる工程と、上記他の測量用ポールを上記一の測量用ポールと交差させる工程と、上記他の測量用ポールの上記水準器の表面を鉛直に配置する工程と、上記他の測量用ポールの上記第２直線上に標された目盛の位置を上記水準器の表面の円の周方向における上記気泡の位置とすることで、上記他の測量用ポールを水平に保持する工程と、 上記第１測点側の端から、上記一の測量用ポールと上記他の測量用ポールとの交差点までの上記一の測量用ポールの長さを計測する工程と、上記第２測点側の端から、上記交差点までの上記他の測量用ポールの長さを計測する工程と、を含む。
【００１１】
上記の構成によると、２本用意した測量用ポールのうち一の測量用ポールを第１測点に立てると、水準器の表面がほぼ鉛直に配置される。鉛直に配置された表面において、気泡は、表面の円の上端に浮上する。この気泡の中心に第１直線上に標された目盛がくるように、ポール本体の傾きを調整することで、ポール本体の軸方向が鉛直となり、一の測量用ポールを鉛直に保持することができる。
【００１２】
一方、斜面において、第１測点よりも上方にある任意の第２測点に、２本用意した測量用ポールのうち他の測量用ポールの端を当接させる。他の測量用ポールを傾けて、一の測量用ポールと交差させる。このため、第２測点は、第１測点からの水平距離が測量用ポールの軸方向の長さよりも短い位置にある。水準器の表面が鉛直に配置されるように、ポール本体の円柱の周方向にポール本体を回転させる。鉛直に配置された表面の円の上端に浮上した気泡の中心に、第２直線上に標された目盛がくるように、ポール本体の傾きを調整する。このことで、ポール本体の軸方向が水平となり、他の測量用ポールを水平に保持することができる。
【００１３】
このように、鉛直に保持された一の測量用ポールと、水平に保持された他の測量用ポールとが交差する点を各測量用ポールの交差点とする。一の測量用ポールの第１測点側の端から交差点までの長さを計測することで、第１測点と第２測点との高低差が求められる。他の測量用ポールの第２測点側の端から、交差点までの長さを計測することで、第１測点と第２測点との水平距離が求められる。
【００１４】
本発明に係る第２の測量方法は、斜面における第１測点と該第１測点よりも上方にある第２測点とをつなぐ直線の勾配を測定する測量方法であって、上記第２の測量用ポールを用意する工程と、上記第１測点と上記第２測点とをつなぐ直線上に上記測量用ポールを配置する工程と、上記水準器の表面を鉛直に配置する工程と、上記勾配用目盛に対する上記水準器の表面の円の周方向における上記気泡の位置により、上記第１測点と上記第２測点とをつなぐ直線の勾配を測定する工程と、を含む。
【００１５】
上記の構成によると、斜面における第１測点と第２測点とをつなぐ直線上に測量用ポールを配置したとき、ポール本体の中心軸と水平線とのなす角がポール本体の傾きとなり、この傾きが、斜面における第１測点と第２測点とをつなぐ直線の勾配となる。第１測点と第２測点とを通るように測量用ポールを配置し、ポール本体の円柱の周方向にポール本体を回転させて、水準器の表面をほぼ鉛直に配置する。鉛直に配置された表面において、気泡は円の上端に浮上する。この気泡の中心を通る鉛直線と、ポール本体の中心軸に対して垂直な直線とのなす角がポール本体の傾きと等しい角度となる。そこで、勾配用目盛に対して気泡の中心がどの位置にあるかにより、ポール本体の傾きを測定する。このように、勾配用目盛が表面の円周に１５度ごとに標された測量用ポールにより、斜面における第１測点と第２測点ととつなぐ直線の勾配が測定される。
【発明の効果】
【００１６】
本発明によれば、測量作業の効率をよくすることができる。
【発明を実施するための最良の形態】
【００１７】
以下、本発明の実施形態を図面に基づいて詳細に説明する。
【００１８】
本発明の実施形態に係る測量用ポール１は、河川堤防、盛土、切土断面、ダム湖岸等の地形図を作成するために行う測量において使用するものである。この測量用ポール１を用いて計測した測点間の距離、勾配等のデータに基づいて、地形図を作成する。
【００１９】
図１に示すように、測量用ポール１は、円柱状のポール本体２と、ポール本体２の軸方向中央の側面に固定された水準器３とを備えている。ポール本体２の一端には、円錐状の石突き４が設けられている。ポール本体２は、例えば、軸方向の長さＬ１が２ｍであり、軸方向の長さＬ２ごとに赤と白と交互に塗り分けられている。Ｌ２は、例えば、２０ｃｍである。
【００２０】
図２に示すように、水準器３は、円形状の表面５がポール本体２の側面から露出し、残りの部分がポール本体２に埋まるように、ポール本体２内に嵌め込まれている。表面５は、透明であり、ポール本体２の中心軸Ｌ５に平行となっている。水準器３内には、アルコール等の液体６が封入されており、液体６は、１つの気泡７を含んでいる。
【００２１】
水準器３の表面５には、ポール本体２の軸方向に延びる第１基準線１０が目盛として標されている。第１基準線１０は、表面５の円の中心Ｏを通り、表面５の円の外周部分にまで延びて標されている。さらに、水準器３の表面５には、第１基準線１０に対して垂直な方向に延びる第２基準線１１が目盛として標されている。第２基準線１１も同様に、表面５の円の中心Ｏを通り、表面４の円の外周部分にまで延びて標されている。
【００２２】
水準器３の表面５の円の内周側には、表面５の円の円周の第１および第２基準線１０，１１間を６分割する勾配用目盛１２，…，１２が標されている。すなわち、勾配用目盛１２，…，１２は、表面５の円の円周を２４分割するものであり、表面５の内周側に１５度ごとに標されている。
【００２３】
水準器３の気泡７は、常に水準器３内の上端に位置する。水準器３の表面５は、ポール本体２の中心軸Ｌ５と平行であるので、ポール本体２を立てると、表面５がほぼ鉛直に配置されることになる。ここで、表面５が鉛直に配置されるとは、表面５が鉛直線に対して平行に配置されることをいう。鉛直に配置された表面５において、気泡７は、表面５の円の上端に浮上する。測量用ポール１を鉛直に立てようとするとき、ポール本体２の第１基準線１０を、気泡７の中心に表面５の円の周方向に近づけるほど、ポール本体２の鉛直度が高くなる。すなわち、ポール本体２の傾きを調整して、表面５の上端にある気泡７の中心に第１基準線１０を近づけることで、ポール本体２の軸方向が鉛直に近くなる。水準器３の表面５は透明であるので、気泡７の位置を目視により判断することができる。したがって、第１基準線１０に対する気泡７の中心位置に基づいて、ポール本体２の鉛直度を目測することで、容易に、ポール本体２をほぼ鉛直に配置することができる。ここで、ポール本体２がほぼ鉛直に配置されるとは、気泡７の中心が、少なくとも第１基準線１０の両隣にある勾配用目盛１２，１２間にある場合をいうものとする。
【００２４】
一方、ポール本体２の水平度は、第２基準線１１に対する気泡７の位置に基づいて目測される。水準器３の表面５をほぼ鉛直に配置することで、気泡７が表面５の円の上端に浮上する。ポール本体２を横に倒したとき、第２基準線１１が、鉛直に配置した表面５における気泡７の中心に近いほど、ポール本体２の水平度が高くなる。すなわち、ポール本体２の傾きを調整して、気泡７の中心に第２基準線１１を近づけることで、ポール本体２の軸方向が水平に近くなる。したがって、第２基準線１１に対する気泡７の中心位置に基づいて、ポール本体２の水平度を目測することで、ポール本体２をほぼ水平に配置することができる。ここで、ポール本体２がほぼ水平に配置されるとは、気泡７の中心が、少なくとも第２基準線１１の両隣にある勾配用目盛１２，１２間にある場合をいうものとする。
【００２５】
図５に示すように、ポール本体２を水平線Ｈに対して角度Ｒ傾けたとき、ポール本体２の中心軸Ｌ５と水平線Ｈとのなす角Ｒ（図５において、中心軸Ｌ５と平行な直線Ｌ７と水平線Ｈとのなす角として示す）がポール本体２の傾きとなる。ここで、ほぼ鉛直に配置した水準器３の表面５における円の上端に浮上した気泡７の中心を通る鉛直線Ｌ６と、ポール本体２の中心軸Ｌ５に対して垂直な直線、すなわち第２基準線１１とのなす角Ｒがポール本体２の傾きと等しい角度となる。
【００２６】
そこで、勾配用目盛１２のうち気泡７の中心に最も近い勾配用目盛１２’に基づいて、ポール本体２のおおよその勾配を測定する。第２基準線１１の上側を基準とした、気泡の中心に最も近い勾配用目盛１２’に基づいて、ポール本体２の傾きを測定することができる。
【００２７】
次に、測量用ポール１を用いた測量方法について説明する。
【００２８】
図３に示すように、測量地２０において、Ｐ１は基準点である。基準点Ｐ１は、測量の基準となる点であり、位置、高さ等の情報が既知である点であることが好ましいが、既知でなくてもよい。測量地２０において、基準点Ｐ１よりも上方で、かつ鉛直距離および水平距離が測量用ポール１の軸方向の長さよりも短い点である任意の測点Ｐ２を決める。
【００２９】
まず、図３に示すように、基準点Ｐ１と測点Ｐ２との水平距離および高低差を測定する測量方法について説明する。
【００３０】
測量用ポール１を少なくとも２本用意する。  
【００３１】
測量用ポール１のうち一の測量用ポール１ａを基準点Ｐ１に立てる。具体的には、測量用ポール１ａの石突き４を基準点Ｐ１に刺しこむ。測量用ポール１ａを立てると、水準器３の表面５がほぼ鉛直に配置される。測量用ポール１ａの鉛直に配置された表面５において、気泡７は、表面５の円の上端に浮上する。
【００３２】
測量用ポール１ａのポール本体２の傾きを調整して、気泡７の中心に第１基準線１０がくるようにする。こうすることで、測量用ポール１ａのポール本体２の中心軸Ｌ５が鉛直となり、測量用ポール１ａを鉛直に保持することができる。
【００３３】
次に、測量用ポールのうち他の測量用ポール１ｂの石突き４を測点Ｐ２に当接させる。なお、他の測量用ポール１ｂの石突き４と反対側の端を測点Ｐ２に当接させてもよい。
【００３４】
測量用ポール１ｂを傾けて、測量用ポール１ａと交差させる。
【００３５】
他の測量用ポール１ｂポール本体２の円柱の周方向にポール本体２を回転させて、水準器３の表面５を鉛直に配置する。他の測量用ポール１ｂ表面５を鉛直に配置すると、気泡７は、表面５の円の上端に浮上する。この気泡７の中心に、第２基準線１１がくるように、他の測量用ポール１ｂポール本体２の傾きを調整する。こうすることで、他の測量用ポール１ｂポール本体２の中心軸Ｌ５が水平となり、測量用ポール１ｂを水平に保持することができる。
【００３６】
そして、鉛直に保持された測量用ポール１ａと、水平に保持された測量用ポール１ｂとが交差する点を各測量用ポール１ａ，１ｂの交差点Ｐ３とする。交差点Ｐ３は、各測量用ポール１ａ，１ｂの第２基準線１１の方向において、各測量用ポール１ａ，１ｂの中心である。測量用ポール１ａの基準点Ｐ１側の端から交差点Ｐ３までの長さＬ４を計測することで、基準点Ｐ１と測点Ｐ２との高低差が求められる。測量用ポール１ｂの測点Ｐ２側の端から、交差点Ｐ３までの長さＬ３を計測することで、基準点Ｐ１と測点Ｐ２との水平距離を求められる。長さＬ３およびＬ４の計測は、メジャー等を用いて正確な長さを求めるか、２０ｃｍごとに塗り分けられた赤と白の模様を基に大まかな長さを求める等によって行う。
【００３７】
このように、本発明の実施形態に係る測量用ポール１には、水準器３が固定され、水準器３の表面５がポール本体２の中心軸Ｌ５と平行となるように、ポール本体２の側面に露出されている。このため、表面５を鉛直に配置することで、第１および第２基準線１０，１１に対する表面５の円の周方向における気泡７の位置に基づいて、容易に、測量用ポール１の鉛直度または水平度を目測することができる。したがって、取り扱いが容易であり、軽量な測量用ポール１のみで、容易に測量作業を行うことができる。
【００３８】
そして、鉛直度用と水平度用との２種類のポールを用意しなくても、一種類の測量用ポール１で、鉛直度と水平度との両方を目測することができる。
【００３９】
さらに、水準器３が測量用ポール１にあらかじめ固定され、鉛直度および水平度の両方の目測に用いることができるので、水準器３の取り外しや、付け替えの手間がかからず、作業時間が短縮される。そして、測量用ポール１のみで測量ができ、測量機器の設置等の時間も必要なく取り扱いが容易であり、急な斜面や柔らかい地面においても容易に測量ができるので、さらに作業時間を短縮することができる。このため、測量作業の効率をよくすることができる。
【００４０】
次に、図４に示すように、基準点Ｐ１と測点Ｐ２とをつなぐ直線の勾配を測定する測量方法について説明する。
【００４１】
まず、本発明の実施形態に係る測量用ポール１を１本用意する。
【００４２】
次に、測量用ポール１を傾けて、測量地２０の斜面における基準点Ｐ１と測点Ｐ２とをつなぐ直線状に測量用ポール１を配置する。具体的には、基準点Ｐ１と測点Ｐ２とに当接するように測量用ポール１を配置する。
【００４３】
ポール本体２の円柱の周方向に測量用ポール１を回転させ、水準器３の表面５を鉛直に配置する。
【００４４】
ここで、ポール本体２の中心軸Ｌ５と水平線Ｈとのなす角Ｒが測量用ポール１の傾きであり、この測量用ポール１の傾きが、基準点Ｐ１から測点Ｐ２への勾配となる。鉛直に配置された表面５において、気泡７は表面５の円の上端に浮上する。この気泡７の中心を通る鉛直線Ｌ６と、ポール本体２の中心軸Ｌ５に対して垂直な第２基準線１１とのなす角Ｒが測量用ポール１の傾きと等しい角度となる。そこで、勾配用目盛１２のうち気泡７の中心に最も近い勾配用目盛１２’が、第２基準線１１を基準として、いくつ目の目盛かにより、測量用ポール１の傾きを測定する。勾配用目盛１２は、１５度ごとに標されているので、１５度単位での傾きを測定し、基準点Ｐ１と測点Ｐ２とをつなぐ直線の勾配を測定することができる。
【００４５】
このように、測量用ポール１に備えられた水準器３により、鉛直度および水平度を目測することができるのみならず、測量用ポール１の傾きも測定することができる。したがって、１種類の測量用ポール１で、基準点Ｐ１と測点Ｐ２との水平距離および高低差を測定することができるとともに、斜面の勾配も測定することができ、測量作業の効率をさらによくすることができる。
【００４６】
なお、上述の実施形態は、本発明の例示であって、本発明はこの例に限定されるものではない。
【００４７】
例えば、以下のような構成としてもよい。
【００４８】
すなわち、上記実施形態では、水準器３をその表面５がポール本体２の側面から露出するように嵌め込んだが、水準器３の少なくとも一部がポール本体２に嵌め込まれ、ポール本体２の側面から水準器３の残りの部分が突出するようにポール本体に取り付けられていてもよい。
【００４９】
また、上記実施形態では、水準器３の表面５に勾配用目盛１２，…，１２を標したが、これを標さなくてもよく、第１および第２基準線１０，１１により測量用ポール１の鉛直度および水平度が目測できればよい。
【００５０】
また、上記実施形態では、測点Ｐ２は、基準点Ｐ１よりも斜面の上方にある点としたが、基準点Ｐ１よりも下方にある点でもよい。この場合の水平距離および高低差を測定する測量方法においては、下方にある測点Ｐ２に測量用ポール１ａを立て鉛直に保持し、基準点Ｐ１に測量用ポール１ｂの端を当接させて水平に保持して行う。
【産業上の利用可能性】
【００５１】
以上説明したように、本発明は、測量作業の効率をよくすることができるので、斜面における基準点と測点との水平距離、高低差および斜面の勾配を測定するために用いる測量用ポール等について有用である。
【図面の簡単な説明】
【００５２】
【図１】本発明の実施形態に係る測量用ポールを示す側面図である。
【図２】測量用ポールの水準器部分を拡大して示す側面図である。
【図３】基準点と測点との水平距離および高低差を測定する場合の測量用ポールの使用状態を示す図である。
【図４】基準点から測点への勾配を測定する場合の測量用ポールの使用状態を示す図である。
【図５】基準点から測点への勾配を測定する場合の測量用ポールの水準器部分を拡大して示す側面図である。
【符号の説明】
【００５３】
１    測量用ポール
２    ポール本体
３    水準器
５    表面
６    液体
７    気泡
１０  第１基準線（目盛）
１１  第２基準線（目盛）
１２  勾配用目盛
Ｌ５  中心軸
Ｐ１  基準点（第１測点）
Ｐ２  測点（第２測点）
【図１】
2008020367.tif 000003
【図２】
2008020367.tif 000004
【図３】
2008020367.tif 000005
【図４】
2008020367.tif 000006
【図５】
2008020367.tif 000007